(57)【要約】      （修正有）【課題】直管型ＬＥＤランプを照明器具から容易に取外すことができなくすることで、点灯回路を搭載している照明器具に誤って装着してしまうことを防止できる構造を用いた照明装置を提供する。【解決手段】取付部材１１の配線開口部１６から引き込まれた配線の末端に設けられた送り側の接栓５２と、照明器具本体１２の直管型ＬＥＤランプ２に電力を供給するための配線の末端に設けられた受け側の接栓５１が結合することで、直管型ＬＥＤランプに外部電源からの電力が供給され、その配線作業を安全に行うために取付部材に仮留めするヒンジ部１３ａと、その配線作業が完了した後、ベース１５と嵌合するためのストッパー部１４が照明器具本体に形成され、直管型ＬＥＤランプの取外し防止のために直管型ＬＥＤランプと照明器具本体とを締結する固定具３を備える。【選択図】図３
2014112494.tif 000002
【特許請求の範囲】
【請求項１】
天井等の被取付部に取付けられる取付部材と、
直管型ＬＥＤランプとそれを装着するソケットと反射板とからなる照明器具本体と
からなることを特徴とした直管型ＬＥＤ照明装置。
【請求項２】
前記取付部材には、配線開口部が形成されており、
前記配線開口部から引き込まれた配線の末端には送り側の接栓が設けられ、
前記照明器具本体の前記直管型ＬＥＤランプに電力を供給するための配線の末端には、前記送り側の接栓に対応する受け側の接栓が設けられ、
これら二つの接栓が結合することで直管型ＬＥＤランプに、外部電源からの電力が供給されることを特徴とした請求項１に記載の直管型ＬＥＤ照明装置。
【請求項３】
前記直管型ＬＥＤランプと前記照明器具本体とを締結するための固定具と、前記固定具を取り付けるための固定孔と、
からなる前記取外し防止手段を備えたことを特徴とした請求項１または２に記載の直管型ＬＥＤ照明装置。
【請求項４】
前記照明器具本体の両側に、給電のための配線を安全に行うために取付部材に仮留めするヒンジ部と、その配線作業が完了した後、ベースと嵌合するためのストッパー部が形成されたことを特徴とした請求項１から３のいずれかに記載の直管型ＬＥＤ照明装置。
【請求項５】
前記取付部材の対向する二つの側面には、前記ヒンジ部とストッパー部が係合するための係合孔が形成されたことを特徴とした請求項１から４のいずれかに記載の直管型ＬＥＤ照明装置。
【発明の詳細な説明】
【技術分野】
【０００１】
本発明はＬＥＤを光源とした直管型ＬＥＤ照明装置に関する。
【背景技術】
【０００２】
従来から、円筒状のガラス管の両端からガラス管の内部にアルゴンガスと水銀蒸気の混
合気体を封入し、その混合気体を高圧放電させることで、ガス気体から発生した紫外線が
ガラス管の内面に塗布された蛍光材に照射されて白色に発光する蛍光管が周知である。
【０００３】
しかしながら、このような蛍光管は、消費電力が高いうえ、寿命が短いという問題があ
った。また、寿命末期には輝度が低下したり発光時にちらつきが発生するという問題も生
じていた。
【０００４】
そこで、省エネ化及び長寿命化を目的として、近年では従来の蛍光管に換わる新たな蛍
光管として、多数の白色ＬＥＤを実装した直管型ＬＥＤ照明装置が各種提案されている。
【０００５】
直管型ＬＥＤランプは、混合気体を封入した現行の直管型蛍光管と構造的に互換性を持たせ、現行の直管型蛍光灯のソケットにそのまま装着可能とすることが望ましいため、ソケットと口金との接点構造にはＪＩＳ規格に規定する構造を採用するのが好ましい。
【０００６】
そこで、直管型ＬＥＤランプの口金として、Ｇ１３形口金やＲ１７ｄ形口金を採用することで、既設の照明器具に配設された一対のソケット間に装着可能な直管型ＬＥＤランプとなる。しかしながら、ＬＥＤを発光させるためには直流電源が必要で有り、商用の交流を直流に変換するＬＥＤ駆動電源がＬＥＤランプの内部、あるいは照明器具側に配置されている。そのため、電気的な配線も含め各種形態の照明器具が存在しており、安全上これら照明器具には、それに対応した専用の直管型ＬＥＤランプを装着しなければならい。
ところが、Ｇ１３形口金やＲ１７ｄ形口金を備えた直管型ＬＥＤ照明装置であると、照明器具に従来の蛍光灯や、仕様の異なる同じ口金を備えた直管形ＬＥＤランプが取り付けられる虞があり、安全性を維持できなくなる。
【０００７】
特許文献１に記載の直管型ＬＥＤ照明器具は前記安全性を維持するために、直管型ＬＥＤランプの両端部に設けられた口金部に、Ｇ１３形口金で規定されている一対の口金ピン間の間隔より広い間隔でランプの長手方向に沿って突出する一対のピン部、及びこの一対のピン部の先端からピン部の長手方向に対して側方であって互いに反対方向に突出された接続部を備えた口金ピンが設けられていて、それらの口金ピンが嵌合し、電気的に接続される給電端子を持つソケットを両端部に設けた照明器具によって構成され、該直管型ＬＥＤランプは、該照明器具にしか取り付けられず、また、該照明器具に取り付けられるのは該直管型ＬＥＤランプだけで、Ｇ１３形口金などの従来の口金の形態の直管型ＬＥＤランプは取り付けられない照明器具としている。
【先行技術文献】
【特許文献】
【０００８】
【特許文献１】特開２０１２−９４５２
【発明の概要】
【発明が解決しようとする課題】
【０００９】
しかしながら、特許文献１の直管型ＬＥＤランプは従来のＧ１３形口金、Ｒ１７ｄ口金等に対応するソケットを備えた照明器具には取り付けられず、使用する場合には専用のソケットを設けた照明器具に交換しなければならず、非常に不便を発生してしまう虞がある。また、特許文献１の直管型ＬＥＤランプを従来の照明器具のソケットに嵌合させようとした場合、ソケットを破損させてしまう虞がある。
【００１０】
本発明は、このような点に鑑みなされたもので、従来のＧ１３形口金を備えた直管型ＬＥＤランプと、それに対応したソケットを備えた照明器具からなり、なおかつ、前記照明器具に従来の蛍光灯や、仕様の異なる直管型ＬＥＤランプが装着されることを防止できる直管型ＬＥＤ照明装置を提供することである。
【課題を解決するための手段】
【００１１】
請求項１に記載の発明にあたっては、天井等の被取付部に取付けられる取付部材と、
直管型ＬＥＤランプとそれを装着するソケットと反射板とからなる照明器具本体と
からなることを特徴とするものである。
【００１２】
請求項２に記載の発明にあたっては、前記取付部材には、配線開口部が形成されており、
前記配線開口部から引き込まれた配線の末端には送り側の接栓が設けられ、
前記照明器具本体の前記直管型ＬＥＤランプに電力を供給するための配線の末端には、前記送り側の接栓に対応する受け側の接栓が設けられ、
これら二つの接栓が結合することで直管型ＬＥＤランプに、外部電源からの電力が供給されることを特徴とするものである。
【００１３】
請求項３に記載の発明にあたっては、前記直管型ＬＥＤランプと前記照明器具本体とを締結するための固定具と、前記固定具を取り付けるための固定孔と、
からなる前記取外し防止手段を備えたことを特徴とするものである。
【００１４】
請求項４に記載の発明にあたっては、前記照明器具本体の両側に、給電のための配線を安全に行うために取付部材に仮留めするヒンジ部と、その配線作業が完了した後、ベースと嵌合するためのストッパー部が形成されたことを特徴とするものである。
【００１５】
請求項５に記載の発明にあたっては、前記取付部材の対向する二つの側面には、前記ヒンジ部とストッパー部が係合するための係合孔が形成されたことを特徴とするものである。
【発明の効果】
【００１６】
本発明によれば、照明器具に直管型ＬＥＤランプが一旦取り付けられた後は、前記取外し防止手段により、前記直管型ＬＥＤランプは、前記照明器具から容易に取外されることがなくなる。それによって、前記照明器具に、従来の蛍光管や、別の仕様の直管型ＬＥＤランプが取り付けられることを防止でき、安全性を維持できる。
【図面の簡単な説明】
【００１７】
【図１】本発明の実施例を示す直管型ＬＥＤ照明装置の斜視図である。
【図２】本発明の実施例を示す締結状態を示す断面図である。
【図３】本発明の実施例の取付時の状態を示す断面図である。
【図４】本発明の実施例の取付及び配線作業完了時の状態を示す断面図である。
【図５】本発明の固定孔の位置を示す平面図である。
【発明を実施するための形態】
【００１８】
本発明の実施例について、図面を参照しながら説明する。なお、以下に示す実施例は本発明の直管型ＬＥＤランプと照明器具との締結方法における好適な具体例であり、技術的に好ましい種々の限定を付している場合もあるが、本発明の技術範囲は、特に本発明を限定する記載がない限り、これらの態様に限定されるものではない。また、以下に示す実施形態における構成要素は適宜、既存の構成要素等との置き換えが可能であり、かつ、他の既存の構成要素との組合せを含む様々なバリエーションが可能である。したがって、以下に示す実施形態の記載をもって、特許請求の範囲に記載された発明の内容を限定するものではない。
【００１９】
図１は本発明の実施例を示す直管型ＬＥＤ照明装置の斜視図である。
【００２０】
図１において、照明装置１は、照明装置１を天井に取付けるための取付部材１１と、照明器具本体１２とからなり、照明器具本体１２には直管型ＬＥＤランプ２が照明器具本体１２に配置されたソケット５により装着されている。
【００２１】
直管型ＬＥＤランプ２は、透光性のあるカバー２１の両端部にそれぞれ覆って設けられた口金２２を備えている。
【００２２】
透光性のあるカバー２１は、例えば、透光性と拡散性を有するポリカーボネート樹脂やアクリル樹脂などによって、長尺な円筒状に形成されている。
【００２３】
口金２２は、例えば、絶縁性を有する合成樹脂材料で形成され、その端面から延出する口金ピン（図示しない）は金属材料によって形成されている。
【００２４】
直管型ＬＥＤランプ２を照明器具本体１２に装着するために、ソケット５が直管型ＬＥＤランプ２の口金２２の位置に対応して配置されている。
【００２５】
図２は図１のＡ−Ａ’線の断面図である。この図に示すように、照明器具本体１２の直管型ＬＥＤランプ２を搭載する面に、直管型ＬＥＤランプ２の口金２２の位置に合わせて、固定具３を挿通させるための固定孔１８を設けている。
【００２６】
固定具３は、照明器具本体１に直管型ＬＥＤランプ２を取付けた後、固定具３の先端３１を固定孔１８の一方へ差し込み、その後、もう一方の固定孔１８から固定具３の先端３１を出し、更に、固定具３に付いたロック部３２へ、先端３１を挿通させ、最後に先端３１を引っ張り適度な締め付け力で直管型ＬＥＤランプ２を照明器具本体１に締結する。図２は直管型ＬＥＤランプ２と照明器具本体１とが締結した状態の断面図である。
また、図１は直管型ＬＥＤランプ２と照明器具本体１２とが締結した状態の外観斜視図である。なお最初に固定具３を固定孔１８に挿入してから、直管型ＬＥＤランプ２を照明器具本体１２に取り付けてもよい。
【００２７】
固定具３はナイロンなどの柔軟性と引張り強度の双方に優れた合成樹脂で形成されている。固定具３のロック部３２の内部には歯状の形状が付き（図示しない）、結束バンドの帯部分の表面には該歯状の溝と係合する鋸歯状の凹凸が形成されており、一度ロック部に挿入した帯部分を引き抜くことができない構造となっている。
【００２８】
次に照明器具本体１２を取付部材１１に装着する方法について図３を用いて説明する。
取付部材１１の天面側には交流電源の配線５４を引き込むための開口部１６が設けられ、引き込まれた配線５４の末端には接栓５２が取付けられている。照明器具本体１１に取付けられた電源装置４の入力側の配線５３の末端には接栓５２と結合する接栓５１が取付けられている。取付部材１１と照明器具本体１２の間には、それぞれの天面側に設けた固定手段６２によって落下防止のための紐６１が取付けられている。
【００２９】
照明器具本体１２の少なくとも一方の側面の端部の係合部１３は折り曲げ加工により形成されており、複数の折り曲げ部のうち少なくとも１箇所にヒンジ部１３ａが形成されている。本実施例では、ヒンジ部１３ａの断面形状は円弧状になっている。
【００３０】
図４に示す通り、取付部材１１は天井７に設けられた開口（図示しない）に嵌め込まれ、最適な方法で天井に取付けられる。天井７に取付けられた取付部材１１に照明器具本体１２を取付けるとき、まず照明器具本体１２の係合部１３に設けられたヒンジ部１３ａを取付部材１１に設けられた係合穴１５に引っ掛けて仮置きする。このとき、落下防止紐６１で照明器具本体１２は取付部材１１につながっているため落下の恐れはなく、安全に作業を行うことができる。次に、接栓５１と接栓５２を結合させることで、給電用の配線作業が完了する。最後に、照明器具本体１２の係合部１３と対向する側面を取付部材１１の方向に、ヒンジ部１３ａを係合穴１５に仮置きしたままでヒンジ部１３ａを中心に押上げ、照明器具本体１２の係合部１３と対向する側面に設けられた係合部１４が照明器具本体１１のもう一方の係合穴１５に係合し取付が完了する。なお、天井７に設けられた開口部と取付部材１１との間の隙間を隠すため、取付部材１１の開口側の周囲には縁部材１７が設けられている。
【００３１】
以上のように、直管型ＬＥＤランプ２と照明器具本体１２を、固定具３で締結することにより、容易に照明器具本体１２から直管型ＬＥＤランプ２を取外すことができなくなる。また、地震が発生して建物が揺れても直管型ＬＥＤランプ２が照明器具本体１２から外れて落下してしまうのを防止することができる。
【００３２】
直管型ＬＥＤランプの口金をＧ１３やＲ１７ｄ以外の規格とし、ソケットもその規格に対応するものとすることで、本実施例の照明装置に適合する直管型ＬＥＤランプ以外は装着することができないため、間違って適合外の直管型ＬＥＤランプを装着を試みて感電等の事故に遭うことを防止できる。
【符号の説明】
【００３３】
１    直管型ＬＥＤ照明装置
２    直管型ＬＥＤランプ
３    固定具
４    電源装置
５      ソケット
７      天井
１１    取付部材
１２    照明器具本体
１３ａ    ヒンジ部
１４    係合部
１５    係合穴
１８    固定孔
２２    口金
【図１】
2014112494.tif 000003
【図２】
2014112494.tif 000004
【図３】
2014112494.tif 000005
【図４】
2014112494.tif 000006
【図５】
2014112494.tif 000007